(57)【要約】【課題】充電中の電気機器が盗難された場合、電気機器を不正利用から保護することができないという問題を解決する電気機器を提供する。【解決手段】検出部１０２は、送電装置１００から電力が供給されているか否かを検出する。通知部１０３は、検出部１０２にて電力の供給が開始されたことが検出されると、ユーザ認証を行う旨の認証要求をユーザに通知する。記憶部１０４は、ユーザ認証用の登録認証情報を記憶する。入力部１０５は、入力認証情報を受け付ける。制御モジュール１１１は、入力部１０５が受け付けた入力認証情報と、記憶部１０４に記憶された登録認証情報とに基づいて、ユーザ認証を行う。端末保護モジュール１１２は、検出部１０２が電力の供給が停止された後に、制御モジュール１１１にてユーザ認証が失敗すると、携帯端末１０１を不正利用から保護する保護処理を実行する。【選択図】図１
2011039970.tif 000002
【特許請求の範囲】
【請求項１】
送電装置から供給された電力を蓄電し、その蓄電された電力で動作可能な電気機器であって、
登録認証情報を記憶する記憶手段と、
前記送電装置からの電力が供給されているか否かを検出する検出手段と、
前記検出手段にて電力の供給が開始されたことを検出された場合、ユーザ認証を行う旨の認証要求をユーザに通知する通知手段と、
入力認証情報を受け付ける入力手段と、
前記入力手段が受け付けた入力認証情報と、前記記憶手段に記憶された登録認証情報とに基づいて、前記ユーザ認証を行う認証手段と、
前記検出手段にて電力の供給が停止されたことが検出された後に、前記認証手段にて前記ユーザ認証が失敗すると、前記電気機器を不正利用から保護する保護処理を実行する保護手段と、を有する電気機器。
【請求項２】
請求項１に記載の電気機器において、
前記通知手段は、前記検出手段にて電力の供給が開始されたことが検出されてから第一所定時間以上経過しても、前記検出手段にて電力の供給が停止されたことが検出されなかった場合、前記認証要求を通知する、電気機器。
【請求項３】
請求項１または２に記載の電気機器において、
前記認証手段は、前記入力認証情報および前記登録認証情報が同じであると、前記ユーザ認証を成功とし、前記検出手段にて電力の供給が停止されたことが検出されてから第二の所定時間が経過しても、前記ユーザ認証が成功しないと、前記ユーザ認証を失敗とする、電気機器。
【請求項４】
請求項１ないし３のいずれか１項に記載の電気機器において、
前記認証手段は、前記入力手段が入力認証情報を受け付けるたびに、当該入力認証情報と前記登録認証情報とが同じか否かを判断し、所定回数連続して、前記入力認証情報と前記登録認証情報とが異なると判断すると、前記ユーザ認証を失敗とする、電気機器。
【請求項５】
請求項１ないし４のいずれか１項に記載の電気機器において、
前記検出手段にて電力の供給が開始されたことが検出されるたびに、当該電力の供給を開始した送電装置の識別情報を取得する取得手段をさらに有し、
前記認証手段は、前記取得手段が取得した識別情報に基づいて、前記検出手段にて電力の供給が停止されてから前記第一の所定時間以内に、当該電力を供給していた送電装置である対象送電装置から電力の供給が開始されたか否かを判断し、前記対象送電装置から電力の供給が開始されないと、前記ユーザ認証を失敗とする、電気機器。
【請求項６】
登録認証情報を記憶する記憶手段を含み、送電装置から供給された電力を蓄電し、その蓄電された電力で動作可能な電気機器の認証方法であって、
前記送電装置からの電力が供給されているか否かを検出する検出ステップと、
電力の供給が開始されたことを検出された場合、ユーザ認証を行う旨の認証要求をユーザに通知する通知ステップと、
入力認証情報を受け付ける入力ステップと、
前記受け付けられた入力認証情報と、前記記憶された登録認証情報とに基づいて、前記ユーザ認証を行う認証ステップと、
電力の供給が停止されたことが検出された後に、前記ユーザ認証が失敗すると、前記電気機器を不正利用から保護する保護処理を実行する保護ステップと、を有する認証方法。
【請求項７】
請求項６に記載の認証方法において、
前記通知ステップでは、電力の供給が開始されたことが検出されてから第一所定時間以上経過しても、電力の供給が停止されたことが検出されなかった場合、前記認証要求を通知する、認証方法。
【請求項８】
請求項６または７に記載の認証方法において、
前記認証ステップでは、前記入力認証情報および前記登録認証情報が同じであると、前記ユーザ認証を成功とし、電力の供給が停止されたことが検出されてから第二の所定時間が経過しても、前記ユーザ認証が成功しないと、前記ユーザ認証を失敗とする、認証方法。
【請求項９】
請求項６ないし８のいずれか１項に記載の認証方法において、
前記認証ステップでは、前記入力認証情報が受け付けられるたびに、当該入力認証情報と前記登録認証情報とが同じか否かを判断し、所定回数連続して、前記入力認証情報と前記登録認証情報とが異なると判断すると、前記ユーザ認証を失敗とする、認証方法。
【請求項１０】
請求項６ないし９のいずれか１項に記載の認証方法において、
電力の供給が開始されたことが検出されるたびに、当該電力の供給を開始した送電装置の識別情報を取得する取得ステップをさらに有し、
前記認証ステップでは、前記取得された識別情報に基づいて、電力の供給が停止されてから前記第一の所定時間以内に、当該電力を供給していた送電装置である対象送電装置から電力の供給が開始されたか否かを判断し、前記対象送電装置から電力の供給が開始されないと、前記ユーザ認証を失敗とする、認証方法。
【発明の詳細な説明】
【技術分野】
【０００１】
本発明は、充電可能な電気機器およびその認証方法に関する。
【背景技術】
【０００２】
携帯端末を不正利用から保護する技術として、携帯端末の充電時にユーザに認証を要求する技術が特許文献１および２に記載されている。
【０００３】
特許文献１に記載の携帯電話端末では、携帯電話端末およびその充電器に、暗証番号が記憶される。また、携帯電話端末の充電が開始されると、携帯電話端末に記憶された暗証番号と、充電機に記憶された暗証番号が照合される。これらの暗証番号が互いに異なると、携帯電話端末が使用できない状態に設定される。
【０００４】
これにより、携帯電話端末を盗難した盗難者が、その携帯電話端末を自分の充電器で充電すると、その携帯電話端末が使用できなくなる。このため、携帯電話端末を不正利用から保護することが可能になる。
【０００５】
また、特許文献２に記載の認証確認システムでは、携帯型情報処理装置が初めて充電器と接続された際に、充電器内に認証用情報が生成される。その後、携帯型情報処理装置が充電器と接続されるたびに、その充電器に記憶された認証用情報に基づいて、携帯型情報処理装置が正当なユーザの所有する装置か否かが確認される。携帯型情報処理装置が正当なユーザの所有する装置でない場合、その携帯型情報処理装置内の個人情報が消去される。
【０００６】
これにより、携帯型情報処理装置を盗難した盗難者が、その携帯型情報処理装置を利用するために自分の充電器で充電すると、その携帯型情報処理装置内の個人情報が消去されることになる。このため、携帯型情報処理装置内の個人情報を不正利用から保護することが可能になる。
【先行技術文献】
【特許文献】
【０００７】
【特許文献１】特開平１１−２７５６５０号公報
【特許文献２】特開２００４−３１０３８７号公報
【発明の概要】
【発明が解決しようとする課題】
【０００８】
特許文献１および２に記載の技術では、充電の開始時にのみ認証が行われているため、充電中の携帯端末が盗難された場合、その携帯端末を不正利用から保護することができないという問題があった。なお、この問題は、携帯端末に限らず、充電可能な電気機器全般で発生する。
【０００９】
本発明の目的は、上記の課題である、充電中の電気機器が盗難された場合、電気機器を不正利用から保護することができないという問題を解決する電気機器および認証方法を提供することである。
【課題を解決するための手段】
【００１０】
本発明による電気機器は、送電装置から供給された電力を蓄電し、その蓄電された電力で動作可能な電気機器であって、登録認証情報を記憶する記憶手段と、前記送電装置からの電力が供給されているか否かを検出する検出手段と、前記検出手段にて電力の供給が開始されたことを検出された場合、ユーザ認証を行う旨の認証要求をユーザに通知する通知手段と、入力認証情報を受け付ける入力手段と、前記入力手段が受け付けた入力認証情報と、前記記憶手段に記憶された登録認証情報とに基づいて、前記ユーザ認証を行う認証手段と、前記検出手段にて電力の供給が停止されたことが検出された後に、前記認証手段にて前記ユーザ認証が失敗すると、前記電気機器を不正利用から保護する保護処理を実行する保護手段と、を有する。
【００１１】
また、本発明による認証方法は、登録認証情報を記憶する記憶手段を含み、送電装置から供給された電力を蓄電し、その蓄電された電力で動作可能な電気機器の認証方法であって、前記送電装置からの電力が供給されているか否かを検出する検出ステップと、電力の供給が開始されたことを検出された場合、ユーザ認証を行う旨の認証要求をユーザに通知する通知ステップと、入力認証情報を受け付ける入力ステップと、前記受け付けられた入力認証情報と、前記記憶された登録認証情報とに基づいて、前記ユーザ認証を行う認証ステップと、電力の供給が停止されたことが検出された後に、前記ユーザ認証が失敗すると、前記電気機器を不正利用から保護する保護処理を実行する保護ステップと、を有する。
【発明の効果】
【００１２】
本発明によれば、充電中の電気機器が盗難された場合でも、電気機器を不正利用から保護することが可能になる。
【図面の簡単な説明】
【００１３】
【図１】本発明の第一の実施形態の携帯端末の構成を示したブロック図である。
【図２】携帯端末の動作の一例を説明するためのフローチャートである。
【図３】本発明の第二の実施形態の携帯端末の構成を示したブロック図である。
【図４】受電制御モジュールの動作の一例を説明するためのフローチャートである。
【図５Ａ】盗難防止制御モジュールの動作の一例を説明するためのフローチャートである。
【図５Ｂ】盗難防止制御モジュールの動作の他の例を説明するためのフローチャートである。
【図５Ｃ】盗難防止制御モジュールの動作の他の例を説明するためのフローチャートである。
【図６】ユーザ認証モジュールの動作の一例を説明するためのフローチャートである。
【図７】端末保護モジュールの動作の一例を説明するためのフローチャートである。
【発明を実施するための形態】
【００１４】
以下、本発明の実施形態について図面を参照して説明する。なお、以下の説明では、同じ機能を有する構成には同じ符号を付け、その説明を省略する場合がある。
【００１５】
図１は、本発明の第一の実施形態の携帯端末１０１の構成を示したブロック図である。      
【００１６】
携帯端末１０１は、送電装置１００から供給された電力を蓄電し、その蓄電された電力で動作可能な電気機器である。なお、携帯端末１０１は、例えば、ノートＰＣや携帯電話などである。また、送電装置１００は、携帯端末１０１に電力を供給する充電器であり、接触型の充電器でもよいし、非接触型の充電器でもよい。
【００１７】
携帯端末１０１は、検出部１０２と、通知部１０３と、記憶部１０４と、入力部１０５と、制御部１１０とを含む。
【００１８】
検出部１０２は、検出手段の一例である。検出部１０２は、送電装置１００から携帯端末１０１へ電力が供給されているか否かを検出する。
【００１９】
通知部１０３は、通知手段の一例である。通知部１０３は、検出部１０２にて電力の供給が開始されたことが検出されると、ユーザ認証を行う旨の認証要求をユーザに通知する。例えば、通知部１０３は、表示装置および音声出力装置の少なくとも一方であり、認証要求を表示したり、認証要求を音声で出力したりすることで、認証要求をユーザに通知する。
【００２０】
記憶部１０４は、記憶手段の一例である。記憶部１０４は、ユーザ認証用の登録認証情報を記憶する。なお、登録認証情報は、携帯端末１０１のユーザなどにて予め登録される。
【００２１】
入力部１０５は、入力手段の一例である。通知部１０３にて通知された認証要求を確認したユーザから、入力認証情報を受け付ける。なお、入力認証情報および登録認証情報は、パスワードや暗証番号などのテキスト情報でもよいし、ユーザの指紋や静脈パターンなどの生体情報でもよい。
【００２２】
制御部１１０は、検出部１０２、通知部１０３、記憶部１０４および入力部１０５を用いて、ユーザ認証を行い、その認証結果に応じて携帯端末１０１を不正利用から保護する保護処理を実行する。
【００２３】
制御部１１０は、制御モジュール１１１と、端末保護モジュール１１２とを有する。
【００２４】
制御モジュール１１１は、認証手段の一例である。制御モジュール１１１は、入力部１０５が受け付けた入力認証情報と、記憶部１０４に記憶された登録認証情報とに基づいて、ユーザ認証を行う。
【００２５】
端末保護モジュール１１２は、保護手段の一例である。端末保護モジュール１１２は、
検出部１０２が電力の供給が停止されたことを検出された後に、制御モジュール１１１にてユーザ認証が失敗すると、保護処理を実行する。例えば、端末保護モジュール１１２は、通知部１０３からアラーム音を出力することや、携帯端末１０１に記憶されている秘密情報を削除することを、保護処理として実行する。
【００２６】
次に動作を説明する。
【００２７】
図２は、本実施形態の携帯端末１０１の動作の一例を説明するためのフローチャートである。なお、検出部１０２は、定期的に、送電装置１００から携帯端末１０１へ電力が供給されているか否かを検出する。検出部１０２は、電力が供給されていることを検出している間、検出信号を制御モジュール１１１に通知し、電力の供給が停止されると、検出信号の通知を停止する。
【００２８】
ステップＳ２００では、制御モジュール１１１は、検出部１０２からの検出信号の通知が開始されたか否かを確認する。制御モジュール１１１は、検出信号の通知が開始されると、電力の供給が開始されたと判断して、ステップＳ２０１を実行する。一方、制御モジュール１１１は、検出信号の通知が開始されないと、ステップＳ２００を実行する。
【００２９】
ステップＳ２０１では、制御モジュール１１１は、携帯端末１０１が電力の供給されている受電状態になったと判断して、認証要求を生成する。制御モジュール１１１は、その認証要求を通知部１０３を介してユーザに通知し、さらに、携帯端末１０１に対する入力登録情報の入力操作以外の操作を禁止する禁止処理を実行する。その後、制御モジュール１１１は、ステップＳ２０２を実行する。
【００３０】
ステップＳ２０２では、制御モジュール１１１は、検出部１０２からの検出信号の通知が終了されたか否かを確認する。制御モジュール１１１は、検出信号の通知が停止されると、電力の供給が停止されたと判断して、ステップＳ２０３を実行する。一方、制御モジュール１１１は、検出信号の通知が停止されないと、ステップＳ２０２を実行する。
【００３１】
ステップＳ２０３では、制御モジュール１１１は、携帯端末１０１が電力の供給されていない非受電状態になったと判断して、ユーザ認証を行う。
【００３２】
具体的には、制御モジュール１１１は、入力部１０５に入力認証情報が入力されたか否かを確認する。入力認証情報が入力されると、制御モジュール１１１は、その入力認証情報が記憶部１０４に記憶された登録認証情報と同じか否かを判断する。
【００３３】
制御モジュール１１１は、携帯端末１０１が非受電状態になってから第一の所定時間が経過するまでに、入力認証情報および登録認証情報が同じであると判断すると、ユーザ認証を成功と判断する。一方、制御モジュール１１１は、携帯端末１０１が非受電状態になってから第一の所定時間が経過しても、入力認証情報および登録認証情報が同じであると判断できなかった場合、ユーザ認証を失敗と判断する。
【００３４】
制御モジュール１１１は、ユーザ認証に成功すると、禁止処理を中止して処理を終了し、ユーザ認証に失敗すると、ステップＳ２０４を実行する。
【００３５】
ステップＳ２０４では、制御モジュール１１１は、携帯端末１０１を不正利用から保護する旨の保護要求を端末保護モジュール１１２に通知する。端末保護モジュール１１２は、保護要求を受信すると、携帯端末１０１を不正利用から保護する保護処理を実行して、動作を終了する。
【００３６】
本実施形態によれば、検出部１０２は、送電装置１００から電力が供給されているか否かを検出する。通知部１０３は、検出部１０２にて電力の供給が開始されたことが検出されると、ユーザ認証を行う旨の認証要求をユーザに通知する。記憶部１０４は、ユーザ認証用の登録認証情報を記憶する。入力部１０５は、入力認証情報を受け付ける。制御モジュール１１１は、入力部１０５が受け付けた入力認証情報と、記憶部１０４に記憶された登録認証情報とに基づいて、ユーザ認証を行う。端末保護モジュール１１２は、検出部１０２が電力の供給が停止された後に、制御モジュール１１１にてユーザ認証が失敗すると、携帯端末１０１を不正利用から保護する保護処理を実行する。
【００３７】
この場合、電力の供給が停止されて後にユーザ認証が失敗すると、携帯端末１０１を不正利用から保護する保護処理が実行される。したがって、携帯端末１０１が充電中に盗難されても、その盗難者に携帯端末１０１が使用されることを抑制することが可能になる。よって、充電中の携帯端末１０１が盗難された場合でも、携帯端末１０１を不正利用から保護することが可能になる。
【００３８】
次に第二の実施形態について説明する。本実施形態では、第一の実施形態で説明した認証システムのより詳細な構成について記載する。
【００３９】
図３は、本実施形態の携帯端末１０１の構成を示したブロック図である。図３において携帯端末１０１は、検出部１０２と、通知部１０３と、記憶部１０４と、入力部１０５と、蓄電部１０６と、取得部１０７と、制御部１１０とを含む。
【００４０】
記憶部１０４は、秘密情報をさらに記憶する。秘密情報は、例えば、携帯端末１０１のユーザの個人情報や他の人の電話番号などである。
【００４１】
また、記憶部１０４は、第一の端末保護条件と、第二の端末保護条件と、ユーザ認証失敗条件とをさらに記憶する。なお、第一の端末保護条件と、第二の端末保護条件と、ユーザ認証失敗条件は予め定められていてもよいし、ユーザにて変更可能であってもよい。
【００４２】
第一の端末保護条件は、携帯端末１０１の充電開始時における、ユーザ認証を行う条件であり、受電状態および未使用状態の継続時間や送電装置１００に関する送電情報などに応じて定義される。
【００４３】
なお、未使用状態は、携帯端末１０１が使用されていない状態であり、例えば、携帯端末１０１が折りたたみ型携帯電話やノートＰＣの場合、携帯端末１０１を折りたたんだ状態であり、携帯端末１０１が音楽プレーヤーの場合、電源をオフにした状態である。また、送電情報は、本実施形態では、送電装置１００のタイプ（接触型または非接触型）を示す。
【００４４】
例えば、第一の端末保護条件は、「受電状態が第一所定時間以上継続し、かつ、未使用状態が特定時間以上継続し、かつ、送電装置１００が非接触型である」ことを示す。
【００４５】
第二の端末保護条件は、携帯端末１０１の充電停止時における、ユーザ認証を行う条件であり、送電情報や非受電状態の継続時間などに応じて定義される。例えば、第二の端末保護条件は、「非受電状態が第二所定時間以上継続し、かつ、送電装置１００が非接触型である」ことを示す。
【００４６】
ユーザ認証失敗条件は、ユーザ認証が失敗したと判断する条件である。例えば、ユーザ認証失敗条件は、「不正な入力認証情報が所定回数連続して入力される、または、認証要求が通知されてから一定時間が経過しても、正当な入力認証情報が入力されない」ことを示す。なお、正当な入力認証情報は、登録認証情報と同じ認証情報であり、不正な入力認証情報は、登録認証情報と異なる認証情報である。
【００４７】
蓄電部１０６は、二次電池とも呼ばれ、送電装置１００から供給された電力を蓄電し、その蓄電した電力を携帯端末１０１の各部（検出部１０２、通知部１０３、記憶部１０４、入力部１０５、取得部１０７および制御部１１０）に供給することで、携帯端末を動作させる。なお、蓄電部１０６は、携帯端末１０１と脱着可能であってもよい。
【００４８】
取得部１０７は、取得手段の一例である。取得部１０７は、少なくとも検出部１０２にて電力の供給が開始されたことが検出されるたびに、その電力を供給する送電装置１００から、その送電装置１００に関する送電情報を取得する。
【００４９】
制御部１１０は、制御モジュール１１１と、端末保護モジュール１１２とを含む。また、制御モジュール１１１は、受電制御モジュール１２１と、盗難防止制御モジュール１２２と、ユーザ認証モジュール１２３とを含む。
【００５０】
受電制御モジュール１２１は、検出部１０２にて電力の供給が開始されたことが検出されると、携帯端末１０１が受電状態になったと判断する。また、受電制御モジュール１２１は、検出部１０２にて電力の供給が停止されたことが検出されると、携帯端末１０１が非受電状態になったと判断する。
【００５１】
盗難防止制御モジュール１２２は、受電制御モジュール１２１にて携帯端末１０１が受電状態になったと判断されると、記憶部１０４に記憶された第一の端末保護条件が満たされているか否かを判断する。
【００５２】
例えば、第一の端末保護条件が「受電状態が第一所定時間以上継続し、かつ、未使用状態が特定時間以上継続し、かつ、送電装置１００が非接触型である」ことを示す場合、盗難防止制御モジュール１２２は、取得部１０７が取得した送電情報が非接触型を示すか否かを確認する。盗難防止制御モジュール１２２は、送電情報が非接触型を示すと、受電状態の継続時間の計測を開始すると共に、携帯端末１０１が未使用状態か否かの監視を開始する。そして、盗難防止制御モジュール１２２は、携帯端末１０１が未使用状態であると、未使用状態の継続時間の計測を開始する。
【００５３】
そして、受電状態の継続時間が第一所定時間以上になり、未使用状態の継続時間が特定時間以上になり、かつ、送電情報が非接触型を示すと、盗難防止制御モジュール１２２は、第一の端末保護条件が満たされていると判断する。
【００５４】
また、盗難防止制御モジュール１２２は、受電制御モジュール１２１にて携帯端末１０１が非受電状態になったと判断されると、記憶部１０４に記憶された第二の端末保護条件が満たされているか否かを判断する。
【００５５】
例えば、第二の端末保護条件が「非受電状態が第二所定時間以上継続し、かつ、送電装置１００が非接触型である」ことを示す場合、受電制御モジュール１２１にて携帯端末１０１が非受電状態になったと判断されると、非受電状態の継続時間の計測を開始すると共に、取得部１０７が取得した送電情報が非接触型を示すか否かを確認する。
【００５６】
そして、非受電状態の継続時間が第二所定時間以上になり、かつ、送電情報が非接触型を示すと、盗難防止制御モジュール１２２は、第二の端末保護条件が満たされていると判断する。
【００５７】
盗難防止制御モジュール１２２にて第一の端末保護条件が満たされていると判断された場合、ユーザ認証モジュール１２３は、ユーザ認証待ち状態に遷移する。
【００５８】
ユーザ認証待ち状態に遷移すると、ユーザ認証モジュール１２３は、認証要求を通知部１０３からユーザに通知するとともに、携帯端末１０１に入力認証情報の入力操作以外の操作を禁止する禁止処理を実行する。
【００５９】
これにより、第一の端末保護条件が満たされると、通知部１０３が認証要求を通知することになる。このため、例えば、第一の端末保護条件が「受電状態が第一所定時間以上継続する」ことを示す場合、通知部１０３は、検出部１０２にて電力の供給が開始されたことが検出されてから第一所定時間以上経過しても、検出部１０２にて電力の供給が停止されたことが検出されなかった場合、認証要求を通知することになる。
【００６０】
また、ユーザ認証モジュール１２３は、入力部１０５が入力した入力認証情報と、記憶部１０４に記憶された登録認証情報およびユーザ認証失敗条件とに基づいて、ユーザ認証を行う。
【００６１】
例えば、ユーザ認証モジュール１２３は、入力認証情報および登録認証情報が同じであると、ユーザ認証を成功とする。
【００６２】
また、ユーザ認証失敗条件が「所定回数連続して不正な認証情報が入力される」ことを示す場合、ユーザ認証モジュール１２３は、入力部１０５が入力認証情報を受け付けるたびに、その入力認証情報と記憶部１０４に記憶された登録認証情報とが同じか否かを判断し、所定回数連続して、入力認証情報および登録認証情報が異なると、ユーザ認証を失敗とする。
【００６３】
さらに、ユーザ認証失敗条件が「認証要求が通知されてから一定時間が経過しても、正当な入力認証情報が入力されない」ことを示す場合、ユーザ認証モジュール１２３は、通知部１０３にて認証要求が通知されてから一定時間が経過しても、ユーザ認証が成功しないと、ユーザ認証を失敗とする。
【００６４】
ユーザ認証モジュール１２３は、ユーザ認証が成功されると、禁止処理を終了する。
【００６５】
ユーザ認証モジュール１２３にてユーザ認証が失敗すると、端末保護モジュール１１２は、保護処理を実行する。
【００６６】
また、保護処理が実行中にユーザ認証モジュール１２３にてユーザ認証が成功すると、端末保護モジュール１１２は、保護処理を終了する。
【００６７】
次に動作を説明する。
【００６８】
図４〜図７は、本実施形態の携帯端末１０１の動作の一例を説明するためのフローチャートである。より具体的には、図４は、受電制御モジュール１２１の動作の一例を説明するためのフローチャートである。図５Ａ、図５Ｂおよび図５Ｃは、盗難防止制御モジュール１２２の動作の一例を説明するためのフローチャートである。図６は、ユーザ認証モジュール１２３の動作の一例を説明するためのフローチャートである。図７は、端末保護モジュール１１２の動作の一例を説明するためのフローチャートである。
【００６９】
先ず、ユーザは、携帯端末１０１の充電を開始する。この場合、ユーザは、携帯端末１０１を未使用状態にし、その後、送電装置１００から電力の供給が可能な状態にする。
【００７０】
なお、電力の供給が可能な状態は、送電装置１００が接触型の場合、携帯端末１０１が送電装置１００に装着された状態であり、送電装置１００が非接触型の場合、携帯端末１０１が送電装置１００からの電力供給用の電波が届く位置に置かれた状態である。
【００７１】
携帯端末１０１が電力の供給が可能な状態になると、送電装置１００から電力が携帯端末１０１に供給され、蓄電部１０６に蓄電される。
【００７２】
このとき、検出部１０２は、電力が供給されていることを検出し、検出信号を受電制御モジュール１２１に通知する。なお、検出部１０２は、電力が供給されていることを検出している間、検出信号の通知を維持する。
【００７３】
図４のステップＳ４００では、受電制御モジュール１２１は、検出部１０２から検出信号が通知されたか否かを確認して、携帯端末１０１が受電状態になったか、および、非受電状態になったかを確認する。より具体的には、受電制御モジュール１２１は、検出信号の通知が開始されると、携帯端末１０１が受電状態になったと判断し、検出信号の通知が停止されると、携帯端末１０１が非受電状態になったと判断する。
【００７４】
受電制御モジュール１２１は、携帯端末１０１が受電状態になったと判断すると、ステップＳ４０１を実行し、携帯端末１０１が非受電状態になったと判断すると、ステップＳ４０２を実行する。
【００７５】
ステップＳ４０１では、受電制御モジュール１２１は、受電状態を示す受電状態情報を生成する。また、受電制御モジュール１２１は、取得部１０７を介して送電装置１００と通信を行い、送電装置１００から送電情報を取得する。ここで、送電情報は、送電装置１００のタイプ「非接触型」を示すものとする。
【００７６】
受電制御モジュール１２１は、受電状態情報および送電情報を盗難防止制御モジュール１２２に通知する。その後、受電制御モジュール１２１は、ステップＳ４００に戻る。
【００７７】
一方、ステップＳ４０２では、受電制御モジュール１２１は、非受電状態を示す非受電状態情報を生成し、その非受電状態情報を盗難防止制御モジュール１２２に通知する。その後、受電制御モジュール１２１は、ステップＳ４００に戻る。
【００７８】
また、図５ＡのステップＳ５００（図５Ｂのステップ５１０）では、盗難防止制御モジュール１２２は、受電制御モジュール１２１から受電状態情報および送電情報が通知されたか否か、および、受電制御モジュール１２１から非受電状態情報が通知されたか否かを確認する。
【００７９】
盗難防止制御モジュール１２２は、受電状態情報および送電情報が通知されると、図５ＡのステップＳ５０１を実行し、非受電状態情報が通知されると、図５ＢのステップＳ５１１を実行する。
【００８０】
ここでは、検出部１０２にて電力の供給が開始されたことが検出されたので、ステップＳ５０１が実行される。
【００８１】
ステップＳ５０１では、盗難防止制御モジュール１２２は、記憶部１０４に記憶された第一の端末保護条件を確認し、その第一の端末保護条件が満たされるか否かを判断する。ここでは、第一の端末保護条件は、「受電状態が３０秒以上継続し、かつ、未使用状態が３０秒以上継続し、かつ、送電装置１００が非接触型である」ことを示すものとする。
【００８２】
盗難防止制御モジュール１２２は、第一の端末保護条件が満たされていないと、ステップＳ５０２を実行し、第一の端末保護条件が満たされていると、ステップＳ５０３を実行する。
【００８３】
今、受電状態が３０秒継続されていないものとする。この場合、盗難防止制御モジュール１２２は、第一の端末保護条件が満たされていないと判断して、ステップＳ５０２を実行する。
【００８４】
ステップＳ５０２では、盗難防止制御モジュール１２２は、非受電状態情報が通知されたか否かを確認する。盗難防止制御モジュール１２２は、非受電状態情報が通知されると、ステップＳ５００を実行し、非受電状態情報が通知されないと、ステップＳ５０１を実行する。
【００８５】
ここで、携帯端末１０１が移動されず、受電状態が継続されたとする。したがって、ステップＳ５０１が実行される。その後、ステップＳ５０１およびＳ５０２が繰り返されている間に、受電状態および未使用状態が３０秒以上継続されると、送電情報が非接触を示すので、ステップＳ５０２で盗難防止制御モジュール１２２が、第一の端末保護条件が満たされていると判断して、ステップＳ５０３を実行する。
【００８６】
ステップＳ５０３では、盗難防止制御モジュール１２２は、ユーザ認証モジュール１２３がユーザ認証待ち状態か否かを確認する。盗難防止制御モジュール１２２は、ユーザ認証モジュール１２３がユーザ認証待ち状態でないと、ステップＳ５０４を実行し、ユーザ認証モジュール１２３がユーザ認証待ち状態であると、処理を終了する。
【００８７】
今、ユーザ認証モジュール１２３はユーザ認証待ち状態でないので、ステップＳ５０４が実行される。
【００８８】
ステップＳ５０４では、盗難防止制御モジュール１２２は、ユーザ認証待ち状態に遷移する旨の遷移要求を生成し、その遷移要求をユーザ認証モジュール１２３に通知する。また、ユーザ認証モジュール１２３は、遷移要求が通知されると、図６のステップＳ６００を実行する。
【００８９】
ステップＳ６００では、ユーザ認証モジュール１２３は、ユーザ認証待ち状態に遷移する。ユーザ認証モジュール１２３は、ユーザ認証待ち状態に遷移すると、認証要求を通知部１０３からユーザに通知するとともに、携帯端末１０１に入力認証情報の入力操作以外の操作を禁止する。その後、ユーザ認証モジュール１２３は、ステップＳ６０１を実行する。
【００９０】
ステップＳ６０１では、ユーザ認証モジュール１２３は、正当な入力認証情報が入力されたか否かを確認する。
【００９１】
より具体的には、先ず、ユーザ認証モジュール１２３は、入力部１０５に入力認証情報が入力されたか否かを確認する。入力認証情報が入力された場合、ユーザ認証モジュール１２３は、入力認証情報と記憶部１０４に記憶された登録認証情報とを照合して、入力認証情報および登録認証情報が同じか否かを判断する。
【００９２】
入力認証情報および登録認証情報が同じ場合、ユーザ認証モジュール１２３は、正当な入力認証情報が入力されたと判断する。また、入力認証情報および登録認証情報が異なっている場合、および、入力認証情報が入力されていない場合、正当な入力認証情報が入力されていないと判断する。
【００９３】
ユーザ認証モジュール１２３は、正当な入力認証情報が入力されないと、ステップ６０２を実行し、正当な入力認証情報が入力されると、ステップＳ６０６を実行する。
【００９４】
ステップＳ６０２では、ユーザ認証モジュール１２３は、記憶部１０４に記憶されたユーザ認証失敗条件を確認し、そのユーザ認証失敗条件が満たされるか否かを判断する。ここでは、ユーザ認証失敗条件は、「不正な入力認証情報が三回連続して入力される、または、ユーザ認証待ち時間が１０秒経過しても、正当な入力認証情報が入力されない」ことを示すものとする。ユーザ認証待ち時間は、通知部１０３にて認証要求が通知されてからの現時刻まで時間である。
【００９５】
ユーザ認証モジュール１２３は、ユーザ認証失敗条件が満たされないと、ステップＳ６０３を実行し、ユーザ認証失敗条件が満たされると、ステップＳ６０５を実行する。
【００９６】
ステップＳ６０３では、ユーザ認証モジュール１２３は、ユーザ認証待ち時間を計測する旨の計測要求が通知されたか否かを確認する。ユーザ認証モジュール１２３は、計測要求が通知されると、ステップＳ６０４を実行し、計測要求が通知されていないと、ステップＳ６０１を実行する。
【００９７】
ステップＳ６０４では、ユーザ認証モジュール１２３は、ユーザ認証待ち時間の計測を開始し、その後、ステップＳ６０１を実行する。
【００９８】
ここでは、計測要求が通知されていないので、ユーザ認証モジュール１２３は、ステップＳ６０３を終了すると、ステップＳ６０１を実行する。なお、現時点では、ユーザ認証モジュール１２３は、ユーザ認証待ち時間の計測を開始していないので、通知部１０３にて認証要求が通知されてから一定時間が経過しても、認証を失敗とすることはない。したがって、入力部１０５が正当な入力認証情報が入力され、認証が成功するまで、ユーザ認証モジュール１２３は、ステップＳ６０１〜Ｓ６０３を繰り返す。
【００９９】
また、ここで認証が成功する前に、ユーザ以外の第三者によって、携帯端末１０１が送電装置１００から充電不可能な位置に持ち出されたとする。
【０１００】
この場合、検出部１０２が検出信号の通知を停止するので、図４のステップＳ４０１およびＳ４０２が実行され、非受電状態情報が受電制御モジュール１２１から盗難防止制御モジュール１２２に通知される。そして、図５ＢのステップＳ５１０で盗難防止制御モジュール１２２は、非受電状態情報が通知されたと判断して、ステップＳ５１１を実行する。
【０１０１】
ステップＳ５１１では、盗難防止制御モジュール１２２は、記憶部１０４に記憶された第二の端末保護条件を確認し、第二の端末保護条件が満たされるか否かを判断する。ここでは、第二の端末保護条件は、「非受電状態が１０秒以上継続し、かつ、送電装置１００が非接触型である」ことを示すものとする。
【０１０２】
盗難防止制御モジュール１２２は、第二の端末保護条件が満たされていないと、ステップＳ５１２を実行し、第二の端末保護条件が満たされていると、ステップＳ５１３を実行する。
【０１０３】
ステップＳ５１２では、盗難防止制御モジュール１２２は、受電状態情報および送電情報が通知されたか否かを確認する。盗難防止制御モジュール１２２は、受電状態情報および送電情報が通知されていないと、ステップＳ５１１を実行され、受電状態情報および送電情報が通知されると、ステップＳ５１０を実行する。
【０１０４】
ここで、携帯端末１０１は送電装置１００から受電可能な位置に戻されることなく、１０秒経過したものとする。この場合、ステップＳ５１０およびＳ５１１が繰り返され、その後、第二の端末保護条件が満たされ、ステップＳ５１３が実行される。
【０１０５】
ステップＳ５１３では、盗難防止制御モジュール１２２は、ユーザ認証モジュール１２３がユーザ認証待ち状態か否かを確認する。盗難防止制御モジュール１２２は、ユーザ認証モジュール１２３がユーザ認証待ち状態であると、ステップＳ５１４を実行し、ユーザ認証モジュール１２３がユーザ認証待ち状態でないと、処理を終了する。
【０１０６】
ステップＳ５１４では、盗難防止制御モジュール１２２は、計測要求をユーザ認証モジュール１２３に通知して、処理を終了する。
【０１０７】
ユーザ認証モジュール１２３は、図６のステップＳ６０３で計測要求が通知されたことを確認して、ステップＳ６０４を実行する。
【０１０８】
ステップＳ６０４では、ユーザ認証モジュール１２３は、ユーザ認証待ち時間を計測する。ここでは、ユーザ認証モジュール１２３は、ユーザ認証待ち時間として、「１０秒」をカウントダウンすることで、ユーザ認証待ち時間を計測する。
【０１０９】
ユーザ認証モジュール１２３は、ユーザ認証待ち時間を０秒までカウントダウンすると、ユーザ認証モジュール１２３は、ステップＳ６０３でユーザ認証失敗条件を満たしていることを確認し、ステップＳ６０５を実行する。
【０１１０】
ステップＳ６０５では、ユーザ認証モジュール１２３は、ユーザ認証の失敗を示す認証結果を盗難防止制御モジュール１２２に通知する。
【０１１１】
盗難防止制御モジュール１２２は、認証結果を受信すると、図５ＣのステップＳ５２０を実行する。
【０１１２】
ステップＳ５２０では、盗難防止制御モジュール１２２は、認証結果が認証の成功を示すか認証の失敗を示すかを確認する。盗難防止制御モジュール１２２は、認証結果が認証の失敗を示すと、ステップＳ５２１を実行し、認証結果が認証の成功を示すと、ステップＳ５２３を実行する。
【０１１３】
ステップＳ５２１では、盗難防止制御モジュール１２２は、端末保護モジュール１１２が端末保護状態か否かを確認する。盗難防止制御モジュール１２２は、端末保護モジュール１１２が端末保護状態でないと、ステップＳ５２２を実行し、端末保護モジュール１１２が端末保護状態であると、処理を終了する。今、端末保護モジュール１１２が端末保護状態でないので、ステップＳ５２２が実行される。
【０１１４】
ステップＳ５２２では、盗難防止制御モジュール１２２は、保護要求を生成し、その保護要求を端末保護モジュール１１２に通知する。端末保護モジュール１１２は、保護遷移要求を受信すると、端末保護状態に遷移し、図７のステップＳ７００を実行する。
【０１１５】
ステップＳ７００では、端末保護モジュール１１２は、端末保護処理を行う。端末保護処理は、例えば、端末保護状態に遷移されてから、特定の時間（例えば、６０秒間）アラーム音を通知部１０３から出力し、その後、アラーム音の出力を維持したまま、記憶部１０４に記憶されている秘密情報を削除するなどの処理である。
【０１１６】
これにより、携帯端末１０１が盗難にあったことをアラーム音によって、ユーザまたは周囲の人間に知らせることができる。また、第三者がアラーム音に怯まず、携帯端末１０１を持ち去った場合でも、秘密情報が削除されるので、秘密情報の漏洩および不正利用を防止することができる。
【０１１７】
また、端末保護モジュール１１２は、端末保護処理を行うと、ステップＳ７０１を実行する。
【０１１８】
ステップＳ７０１では、端末保護モジュール１１２は、端末保護状態を解除する旨の保護解除要求が通知されたか否かを確認する。端末保護モジュール１１２は、保護解除要求が通知されないと、ステップＳ７００を実行し、保護解除要求が通知されると、端末保護状態を解除して処理を終了する。
【０１１９】
ここでは、アラーム音にユーザが気付き、携帯端末１０１をユーザが取り戻し、正当な入力認証情報を入力部１０５に入力したものとする。
【０１２０】
この場合、ユーザ認証モジュール１２３は、図６のステップＳ６０１で正当な入力認証情報が入力されたと判断し、ステップＳ６０６を実行する。
【０１２１】
ステップＳ６０６では、ユーザ認証モジュール１２３は、ユーザ認証待ち状態を解除し、その後、ステップＳ６０７を実行する。
【０１２２】
ステップＳ６０７では、ユーザ認証モジュール１２３は、ユーザ認証の成功を示す認証結果を生成し、その認証結果を盗難防止制御モジュール１２２に送信する。この場合、盗難防止制御モジュール１２２は、図５ＣのステップＳ５２０で認証結果が認証の成功を示すと判断して、ステップＳ５２３を実行する。
【０１２３】
ステップＳ５２３では、盗難防止制御モジュール１２２は、端末保護モジュール１１２が端末保護状態か否かを確認する。盗難防止制御モジュール１２２は、端末保護モジュール１１２が端末保護状態でないと、処理を終了し、端末保護モジュール１１２が端末保護状態であると、ステップＳ５２４を実行する。
【０１２４】
ステップＳ５２４では、盗難防止制御モジュール１２２は、端末保護状態を解除する旨の保護解除要求を生成し、その保護解除要求を端末保護モジュール１１２に送信する。その後、図７のステップＳ７０１で端末保護モジュール１１２は、保護解除要求を受信すると、端末保護状態を解除して、処理を終了する。
【０１２５】
本実施形態によれば、通知部１０３は、検出部１０２にて電力の供給が開始されたことが検出されてから第一所定時間以上経過しても、検出部１０２にて電力の供給が停止されたことが検出されなかった場合、認証要求を通知する。
【０１２６】
この場合、充電が開始されてから第一所定時間以上経過しても、電力の供給が停止されなかった場合、認証要求が通知される。このため、短時間の充電の場合には、ユーザ認証を行わなくても良くなる。したがって、ユーザの手間を軽減することが可能になり、利便性を向上させることが可能になる。例えば、公共の場所で非接触型の送電装置１００による短時間の急速充電が行われる場合、利便性は特に向上する。なお、このような急速充電は、今後普及すると考えられる。
【０１２７】
また、本実施形態では、制御モジュール１１１は、入力認証情報および登録認証情報が同じであると、ユーザ認証を成功とし、検出部１０２にて電力の供給が停止されたことが検出されてから第二の所定時間が経過しても、ユーザ認証が成功しないと、ユーザ認証を失敗とする。
【０１２８】
この場合、携帯端末１０１の盗難者が長い時間をかけて認証情報を解析する暇を与えずに、携帯端末１０１を不正利用から保護することが可能になる。したがって、携帯端末をより確かに不正利用から保護することが可能になる。
【０１２９】
また、本実施形態では、制御モジュール１１１は、入力部１０５が入力認証情報を受け付けるたびに、その入力認証情報と記憶部１０４に記憶された登録認証情報とが同じか否かを判断する。制御モジュール１１１は、所定回数連続して、入力認証情報および登録認証情報が異なると判断すると、ユーザ認証を失敗とする。
【０１３０】
この場合、携帯端末１０１の盗難者がトライ・アンド・エラーで認証情報が解析される可能性を軽減できるので、携帯端末をより確かに不正利用から保護することが可能になる。
【０１３１】
次に第三の実施形態について説明する。
【０１３２】
本実施形態では、記憶部１０４は、予め登録された送電装置１００である登録送電装置の識別情報をさらに記憶する。なお、予め登録された送電装置１００は、例えば、ユーザが自宅にて使用する送電装置である。
【０１３３】
取得部１０７は、検出部１０２にて電力の供給が開始されたことが検出されるたびに、その電力を供給する送電装置１００から、送電情報として、その送電装置１００の識別情報を取得する。
【０１３４】
以下では、記憶部１０４に記憶された識別情報を、登録識別情報と称し、取得部１０７が取得した識別情報を取得識別情報と称する。
【０１３５】
また、実施形態では、第一の端末保護条件は、例えば、「受電状態が第一所定時間以上継続している、かつ、未使用状態が特定時間以上継続している、かつ、取得識別情報が登録識別情報と異なる」ことを示す。
【０１３６】
この場合、例えば、盗難防止制御モジュール１２２は、受電制御モジュール１２１にて携帯端末１０１が受電状態になったと判断されると、取得部１０７が取得した取得識別情報が記憶部１０４に記憶された登録識別情報と同じか否かを判断する。盗難防止制御モジュール１２２は、それらの識別情報が異なっていると、受電状態の継続時間の計測を開始すると共に、携帯端末１０１が未使用状態か否かの監視を開始する。そして、盗難防止制御モジュール１２２は、携帯端末１０１が未使用状態であると、未使用状態の継続時間の計測を開始する。
【０１３７】
そして、受電状態の継続時間が第一所定時間以上になり、未使用状態の継続時間が特定時間以上になり、かつ、取得識別情報と登録識別情報とが異なっていると、盗難防止制御モジュール１２２は、第一の端末保護条件が満たされていると判断する。
【０１３８】
また、本実施形態では、第二の端末保護条件は、例えば、「電力の供給が停止されてから第一の所定時間以内に、その電力を供給していた送電装置から電力の供給が開始されてない」ことを示す。
【０１３９】
この場合、例えば、盗難防止制御モジュール１２２は、受電制御モジュール１２１にて携帯端末１０１が非受電状態になったと判断されると、取得部１０７が取得した識別情報に基づいて、非受電状態になったと判断されてから第一の所定時間以内に、その電力を供給していた送電装置１００である対象送電装置から電力の供給が開始されたか否かを判断する。
【０１４０】
より具体的には、先ず、盗難防止制御モジュール１２２は、携帯端末１０１が非受電状態になったと判断されると、その直前に取得部１０７が取得した識別情報を比較用識別情報として保持する。
【０１４１】
その後、第一の所定時間が経過する前に取得部１０７が識別情報を取得すると、盗難防止制御モジュール１２２は、その取得された識別情報と比較用識別情報とが同じか否かを判断して、対象送電装置から電力の供給が開始されたか否かを判断する。このとき、盗難防止制御モジュール１２２は、それらの識別情報が同じであると、対象送電装置から電力の供給が開始されたと判断し、それらの識別情報が異なっていると、対象送電装置から電力の供給が開始されていないと判断する。
【０１４２】
そして、第一の所定時間が経過する前に、対象送電装置から電力の供給が開始されてなかった場合、盗難防止制御モジュール１２２は、第二の端末保護条件が満たされていないと判断して、ユーザ認証を失敗とする。
【０１４３】
次に動作を説明する。
【０１４４】
先ず、ユーザが携帯端末１０１の充電を開始する。これにより、検出部１０２は、電力の供給が開始されたことを検出し、検出信号の受電制御モジュール１２１への通知を開始する。その後、受電制御モジュール１２１は、ステップＳ４００およびＳ４０１を実行し、受電状態情報および送電情報を盗難防止制御モジュール１２２に通知する。ここで、送電情報は、送電装置１００の識別情報である。
【０１４５】
その後、盗難防止制御モジュール１２２がステップＳ５００で受電状態情報および送電情報の通知を確認し、ステップＳ５０１を実行する。
【０１４６】
ステップＳ５０１では、盗難防止制御モジュール１２２は、記憶部１０４に記憶された第一の端末保護条件を確認し、その第一の端末保護条件が満たされるか否かを判断する。ここでは、第一の端末保護条件は、「受電状態が３０秒以上継続している、かつ、未使用状態が３０秒以上継続している、かつ、取得識別情報が登録識別情報と異なる」ことを示す。
【０１４７】
今、受電状態が３０秒継続されていないものとする。この場合、盗難防止制御モジュール１２２は、第一の端末保護条件が満たされていないと判断して、ステップＳ５０２を実行する。
【０１４８】
ステップＳ５０２では、盗難防止制御モジュール１２２は、非受電状態情報が通知されたか否かを確認する。盗難防止制御モジュール１２２は、非受電状態情報が通知されると、ステップＳ５００を実行し、非受電状態情報が通知されないと、ステップＳ５０１を実行する。
【０１４９】
ここで、携帯端末１０１が移動されず、受電状態が継続されたとする。したがって、ステップＳ５０１が実行される。その後、受電状態および未使用状態が３０秒以上継続され、かつ、取得識別情報が登録識別情報と異なっていたものとする。この場合、ステップＳ５０２で盗難防止制御モジュール１２２が、第一の端末保護条件が満たされていると判断して、ステップＳ５０３を実行する。その後、盗難防止制御モジュール１２２がステップＳ５０４で遷移要求をユーザ認証モジュール１２３に通知する。ユーザ認証モジュール１２３は、遷移要求が通知されると、図６のステップＳ６００〜Ｓ６０２を繰り返し実行する。
【０１５０】
ここで認証が成功する前に、ユーザ以外の第三者によって、携帯端末１０１が送電装置１００から充電不可能な位置に持ち出されたとする。
【０１５１】
この場合、検出部１０２が検出信号の通知を停止するので、図４のステップＳ４０１およびＳ４０２が実行され、非受電状態情報が受電制御モジュール１２１から盗難防止制御モジュール１２２に通知される。そして、図５ＢのステップＳ５１０で盗難防止制御モジュール１２２は、非受電状態情報が通知されたと判断して、ステップＳ５１１を実行する。
【０１５２】
ステップＳ５１１では、盗難防止制御モジュール１２２は、取得識別情報を比較用識別情報として保持すると共に、記憶部１０４に記憶された第二の端末保護条件を確認し、第二の端末保護条件が満たされるか否かを判断する。ここでは、第二の端末保護条件は、「電力の供給が停止されてから１０秒以内に、その電力を供給していた送電装置から電力の供給が開始されてない」ことを示すものとする。
【０１５３】
盗難防止制御モジュール１２２は、第二の端末保護条件が満たされていないと、ステップＳ５１２を実行し、第二の端末保護条件が満たされていると、ステップＳ５１３を実行する。
【０１５４】
ステップＳ５１２では、盗難防止制御モジュール１２２は、受電状態情報および取得識別情報が通知されたか否かを確認する。盗難防止制御モジュール１２２は、受電状態情報および取得識別情報が通知されると、その取得識別情報が、保持している比較用識別情報と同じか否かを判断する。
【０１５５】
盗難防止制御モジュール１２２は、受電状態情報および識別情報が通知されていない場合、および、取得識別情報および比較用識別情報が異なっている場合、ステップＳ５１１を実行し、取得識別情報および比較用識別情報が同じ場合、ステップＳ５１０を実行する。
【０１５６】
ここで、ユーザ以外の第三者によって、携帯端末１０１は、送電装置１００と異なる送電装置から受電可能な位置に置かれたものとする。送電装置１００からの電力の供給が停止されてから１０秒以上継続すると、送電装置１００の識別情報（比較用識別情報）と、送電装置１００と異なる送電装置の識別情報（取得識別情報）とが異なるため、第二の端末保護条件が満たされることになる。このため、ステップＳ５１３が実行される。その後、ステップＳ５１４で計測要求がユーザ認証モジュール１２３に通知される。
【０１５７】
ユーザ認証モジュール１２３は、図６のステップＳ６０３で計測要求が通知されたことを確認して、ステップＳ６０４〜Ｓ６０５を実行し、ユーザの認証の失敗を示す認証結果を盗難防止制御モジュール１２２に通知する。
【０１５８】
盗難防止制御モジュール１２２は、認証結果を受信すると、図５ＣのステップＳ５２０を実行する。その後、認証結果が認証の失敗を示すので、盗難防止制御モジュール１２２は、ステップＳ５２１を実行する。そして、端末保護モジュール１１２が端末保護状態でないので、盗難防止制御モジュール１２２はステップＳ５２２で保護要求を端末保護モジュール１１２に通知する。
【０１５９】
端末保護モジュール１１２は、保護遷移要求を受信すると、図７のステップＳ７００を実行し、保護処理を行う。なお、これ以降の処理は、第一の実施形態と同じなので、説明を省略する。
【０１６０】
本実施形態によれば、取得部１０７は、検出部１０２にて電力の供給が開始されたことが検出されるたびに、その電力の供給を開始した送電装置１００の識別情報を取得する。制御モジュール１１１は、取得部１０７にて取得された識別情報に基づいて、検出部１０２にて電力の供給が停止されてから第一の所定時間以内に、その電力を供給していた送電装置である対象送電装置から電力の供給が開始されたか否かを判断する。制御モジュール１１１は、その対象送電装置から電力の供給が開始されないと、ユーザ認証を失敗とする。
【０１６１】
この場合、携帯端末１０１が他の受電可能な場所に移された場合でも、携帯端末１０１を不正利用から保護することが可能になる。
【０１６２】
以上説明した各実施形態において、図示した構成は単なる一例であって、本発明はその構成に限定されるものではない。
【０１６３】
各実施形態では、電気機器として携帯端末１０１を用いて説明したが、電気機器は、携帯端末１０１に限らず適宜変更可能である。例えば、電気機器は、電気自動車などの充電可能な自動車でもよい。
【符号の説明】
【０１６４】
１００    送電装置
１０１    携帯端末
１０２    検出部
１０３    通知部
１０４    記憶部
１０５    入力部
１０６    蓄電部
１０７    取得部
１１０    制御部
１１１    制御モジュール
１１２    端末保護モジュール
１２１    受電制御モジュール
１２２    盗難防止制御モジュール
１２３    ユーザ認証モジュール
【図１】
2011039970.tif 000003
【図２】
2011039970.tif 000004
【図３】
2011039970.tif 000005
【図４】
2011039970.tif 000006
【図５Ａ】
2011039970.tif 000007
【図５Ｂ】
2011039970.tif 000008
【図５Ｃ】
2011039970.tif 000009
【図６】
2011039970.tif 000010
【図７】
2011039970.tif 000011